【手続補正書】
【提出日】平成19年2月28日(2007.2.28)
【手続補正１】
【補正対象書類名】特許請求の範囲
【補正対象項目名】請求項８
【補正方法】変更
【補正の内容】
【請求項８】
前記誘電性の基板上に、長さの異なる線状の３つの前記アンテナ素子構成部を有して、当該アンテナ素子構成部の各々を露出するように３つのスロット状の開口部を有した半導電性のアンテナパターンと、
前記アンテナパターンに設けられた制御電極とを備え、
前記アンテナ素子構成部は、
線状及びスロット状を切り換え可能な複合型のアンテナ素子構成部であり、
前記アンテナパターンの中央部へ給電する共に、３つの前記アンテナ素子構成部の制御電極及び当該アンテナパターンの制御電極に順方向のバイアス電圧、又は／及び、逆方向のバイアス電圧を供給して、線状及びスロット状の複合型の前記アンテナ素子構成部を切り換えるようにしたことを特徴とする請求項１に記載のアンテナ装置。
【手続補正２】
【補正対象書類名】特許請求の範囲
【補正対象項目名】請求項２１
【補正方法】変更
【補正の内容】
【請求項２１】
前記誘電性の基板上に、長さの異なる線状の３つの前記アンテナ素子構成部を有して、当該アンテナ素子構成部の各々を露出するように３つのスロット状の開口部を有した半導電性のアンテナパターンと、
前記アンテナパターンに設けられた制御電極とを備え、
前記アンテナ素子構成部は、
線状及びスロット状を切り換え可能な複合型のアンテナ素子構成部であり、
前記アンテナパターンの中央部へ給電する共に、３つの前記アンテナ素子構成部の制御電極及び当該アンテナパターンの制御電極に順方向のバイアス電圧、又は／及び、逆方向のバイアス電圧を供給して、線状及びスロット状の複合型の前記アンテナ素子構成部を切り換えるようにしたことを特徴とする請求項１４に記載の無線通信装置。
【手続補正３】
【補正対象書類名】特許請求の範囲
【補正対象項目名】請求項２３
【補正方法】変更
【補正の内容】
【請求項２３】
前記誘電性の基板上において、中央部には、所定の長さの線状の前記アンテナ素子構成部を有し、その両側には２つの長さに設定可能な長さ調整部が設けられた線状の前記アンテナ素子構成部を有して、当該アンテナ素子構成部の各々を露出するように３つのスロット状の開口部を有した半導電性のアンテナパターンと、
前記アンテナパターンに設けられた制御電極と、
前記両側のアンテナ素子構成部の長さ調整部に設けられた制御電極とを備え、
前記アンテナ素子構成部は、
線状及びスロット状を切り換え可能な複合型のアンテナ素子構成部であり、
前記アンテナパターンの中央部へ給電する共に、３つの前記アンテナ素子構成部の前記アンテナパターンの中央部へ給電する共に、２つの前記アンテナ素子構成部の制御電極、前記アンテナパターンの制御電極及び前記長さ調整部の制御電極に順方向のバイアス電圧、又は／及び、逆方向のバイアス電圧を供給して、線状及びスロット状の複合型の前記アンテナ素子構成部を切り換えるようにしたことを特徴とする請求項１４に記載の無線通信装置。
【手続補正４】
【補正対象書類名】明細書
【補正対象項目名】００２６
【補正方法】変更
【補正の内容】
【００２６】
従って、無線通信装置の大型化及び高コスト化を招くことなく、当該アンテナ体の指向性／無指向性・放射偏波・放射方向を所望の状態に制御できるようになり、ＣＳＭＡ／ＣＡに準拠する無線通信処理をできるようになる。
【手続補正５】
【補正対象書類名】明細書
【補正対象項目名】００５３
【補正方法】変更
【補正の内容】
【００５３】
なお、八木アンテナ装置１００は、二層構造に限られることはなく、アンテナの形状の一部分を半導電性のプラスチックを用いてパターニングする第１の層と、固体電解質材料から成る第２の層と、同じく固体電解質材料から成る第３の層と、第２と第３の層を分離する第４の層と、アンテナの形状の別の一部分を半導電性プラスチックを用いてパターニングする第５の層から構成してもよい。
【手続補正６】
【補正対象書類名】明細書
【補正対象項目名】００５７
【補正方法】変更
【補正の内容】
【００５７】
この結果、八木アンテナ装置１００で導波器として機能する。図示せずも、無給電素子１３においても、その制御電極１５ｂと基板１９の制御端子１４ｂとの間に順方向のバイアス電圧を供給すると、無給電素子１３が導電性に変化し、金属のように電気を良く通す性質に変わるので、八木アンテナ装置１００で反射器として機能する。この結果、当該アンテナ装置１００は指向性を有するようになる。
【手続補正７】
【補正対象書類名】明細書
【補正対象項目名】００９０
【補正方法】変更
【補正の内容】
【００９０】
この結果、無給電スロット２１の制御電極２５ａと、基板２９上の地板７２との間に順方向のバイアス電圧が供給される。これと共に、無給電素子２３の制御電極２５ｂと、基板２９上の地板７２との間に順方向のバイアス電圧が供給される。このような順方向のバイアス電圧ＶDCをバイアス回路２７を介して供給すると、固体電解質である誘電性の基板２９から無給電スロット２１，２３の半導電性のプラスチックへ陰イオン（電子）が注入（ドーピング）されるので、無給電スロット２１，２３が金属性（導電性）に変化する。これによって開口部１６ａや開口部１６ｃに金属物が満たされた状態となり、見かけ上、スロットが無くなった場合と等価になる。
【手続補正８】
【補正対象書類名】明細書
【補正対象項目名】０１０２
【補正方法】変更
【補正の内容】
【０１０２】
主励振素子３２の一端には制御電極３５ａが設けられ、同様にして、無給電スロット３１の一端であって、誘電性の基板３９の一辺には制御電極３５ｂが設けられ、無給電スロット３３の一端にも制御電極３５ｃが設けられる。この例では、地板７３に制御電極３５ｄ及び３５ｅが設けられる。当該制御電極３５ａ〜３５ｃ及び制御電極３５ｄ，３５ｅには直流バイアス電圧が供給され、この直流バイアス電圧を制御して無給電スロット３１，３３、主励振素子３２及び地板７３を絶縁性又は／及び導電性に切り換えるようになされる。
【手続補正９】
【補正対象書類名】明細書
【補正対象項目名】０１０４
【補正方法】変更
【補正の内容】
【０１０４】
上述の制御電極３５ａ〜制御電極３５ｃにはバイアス回路３７ａ〜３７ｃの一端に至る配線が接続され、制御電極３５ｄ，３５ｅにはバイアス回路３７ｄの一端に至る配線が接続され、無給電スロット３１，３３、主励振素子３２及び地板７３に直流バイアス電圧を供給するようになされる。
【手続補正１０】
【補正対象書類名】明細書
【補正対象項目名】０１１６
【補正方法】変更
【補正の内容】
【０１１６】
このように、第３の実施例としてのアンテナ装置３００によれば、誘電性の基板３９に対して、いずれも、半導電性のプラスチックで構成された、２つの無給電スロット３１，３３と、この無給電スロット３１，３３の間で所定の間隔を保持した位置に主励振素子３２とを有した地板７３とを備え、無給電スロット３１，３３の制御電極３５ｂ，３５ｃ、主励振素子３２の制御電極３５ａ及び地板７３の制御電極３５ｄ，３５ｅに順方向のバイアス電圧を供給し、又は、これらの制御電極３５ａ〜３５ｅに逆方向のバイアス電圧を供給するようになされる。
【手続補正１１】
【補正対象書類名】明細書
【補正対象項目名】０１３８
【補正方法】変更
【補正の内容】
【０１３８】
続いて、放射方向選択機能付きのアンテナ装置４００の動作例について説明する。図１０に示したアンテナ装置４００の動作例によれば、半導電性のプラスチックにより構成された、無給電素子４１，４３と、主励振素子４２と、地板７４、長さ調整部４４ａ，４４ｂの各々のパターンと、切り換え制御用のスイッチ回路４８及び６個のバイアス回路４７ｂ〜４７ｆを備え、表２のようにスイッチ切り換えの組合せを制御することにより、このアンテナ装置４００で６つの放射状態を取り得るようになされる。
【手続補正１２】
【補正対象書類名】明細書
【補正対象項目名】０１４６
【補正方法】変更
【補正の内容】
【０１４６】
このように、第４の実施例としてのアンテナ装置４００によれば、誘電性の基板４９に対して、いずれも、半導電性のプラスチックで構成された、２つの無給電素子４１，４３と、この無給電素子４１，４３の間で所定の間隔を保持した位置に主励振素子４２、無給電素子４１，４３に各々併設された長さ調整部４４ａ，４４ｂとを有した地板７４を備え、無給電素子４１，４３の制御電極４５ｂ，４５ｃ、主励振素子４２の制御電極４５ａ、地板７４の制御電極４５ｄ，４５ｅ及び長さ調整部４４ａ，４４ｂの制御電極４５ｆ，４５ｇに順方向のバイアス電圧を供給し、又は、これらの制御電極４５ａ〜４５ｇに逆方向のバイアス電圧を供給するようになされる。
【手続補正１３】
【補正対象書類名】明細書
【補正対象項目名】０１４８
【補正方法】変更
【補正の内容】
【０１４８】
図１１は、アンテナ装置４００を応用した第５の実施例としての無線通信装置５００の構成例を示すブロック図である。  
この実施例では、第４の実施例で説明したアンテナ装置４００が無線通信装置５００に実装され、半導電性のプラスチックで構成された、２つの無給電素子４１，４３と、この無給電素子４１，４３の間で所定の間隔を保持した位置に主励振素子４２と、無給電素子４１，４３に各々併設された長さ調整部４４ａ，４４ｂを有した地板７４とを備え、無給電素子４１，４３の制御電極４５ｂ，４５ｃ、主励振素子４２の制御電極４５ａ、地板７４の制御電極４５ｄ，４５ｅ及び長さ調整部４４ａ，４４ｂの制御電極４５ｆ，４５ｇに順方向のバイアス電圧を供給し、又は、これらの制御電極４５ａ〜４５ｇに逆方向のバイアス電圧を供給するようになされ、使用環境に適した多機能ダイバシティ方式を実現するようになされる。
【手続補正１４】
【補正対象書類名】明細書
【補正対象項目名】０１５０
【補正方法】変更
【補正の内容】
【０１５０】
無線通信装置５００は、通信制御ユニット５０、送受切換スイッチ５１、高周波ユニット５２、操作部５３、表示部５４、音声／画像処理部５７、メモリ部５８及び多機能型のアンテナ装置４００を備えて、多機能ダイバシティ方式を実現するものである。高周波ユニット５２は、送受信回路の一例を構成し、送受切換スイッチ５１を介してアンテナ装置４００に接続され、所定の無線通信方式により信号を送受信する。例えば、高周波ユニット５２は、受信回路５２ａ及び送信回路５２ｂを有して構成される。多機能のアンテナ装置４００には、第４の実施例で説明したアンテナ装置が使用される。
【手続補正１５】
【補正対象書類名】明細書
【補正対象項目名】０１５５
【補正方法】変更
【補正の内容】
【０１５５】
制御装置５５には操作部５３、表示部５４、音声／画像処理部５７及びメモリ部５８が接続される。操作部５３は、無線通信装置を動作させる情報を入力するように操作される。操作情報は制御装置５５に出力される。操作部５３にはキーボードや、ジョグダイヤルが使用される。表示部５４は、表示データに基づいて音声情報や画像情報の処理に関する表示情報を表示する。表示部５４には液晶表示パネルが使用される。音声／画像処理部５７は、例えば、受信時、相手方からの受信信号を処理して音声情報や画像情報を得る。送信時、音声情報や画像情報を処理して相手方へ送るための送信信号を作成する。
【手続補正１６】
【補正対象書類名】明細書
【補正対象項目名】０１５８
【補正方法】変更
【補正の内容】
【０１５８】
このメモリ部５８に格納された制御プログラムを利用することで、主励振素子４２、無給電素子４１，４３、長さ調整部４４ａ，４４ｂとの組合せによって構成される６種類のアンテナから選択され、しかも、最適な状態に設定されたアンテナを利用して、水平又は垂直偏波の信号を送受信できるようになる。
【手続補正１７】
【補正対象書類名】明細書
【補正対象項目名】０１９２
【補正方法】変更
【補正の内容】
【０１９２】
また、無線通信装置に関して、第４の実施例で説明したアンテナ装置４００を用いる場合について説明したが、これに限られることはなく、第１〜第３のアンテナ装置１００，２００，３００及び第６〜第９のアンテナ装置６００，７００，８００，９００を使用し、これらの制御電極へ、順方向又は逆方向のバイアス電圧を供給するように、通信制御ユニット５０で制御して、アンテナ素子を絶縁性又は／及び導電性に切り換えて、当該アンテナの放射の指向性・無指向性・偏波を制御するようにしてもよい。